(57)【要約】【課題】コンパクト化を図り、ズーム機能を有するカメラを収納し、かつ、ズーム機能によって遠方の監視対象を拡大したときでも、監視対象を明確に認識することができるようにした防爆形カメラ容器を提供する。【解決手段】この防爆形カメラ容器は、ズーム機能付きのカメラ１を内部にセットする容器本体１０と、光を透過するガラス部材２０とを備えている。容器本体１０は、内部での爆発に耐えられる強度を有する材料によって形成され、かつ、前記カメラ１のレンズ１ａを覗かせる開口部１１ｇを設けたものである。ガラス部材２０は、光学ガラスを強化してドーム形状に成形したものであり、かつ、前記容器本体１０の開口部１１ｇを塞いでいる。また、防爆形カメラ容器は、光軸を任意の方向に向けられるパンチルト式のカメラ１を固定し、カメラ１の固定位置を調整できる台座１５を容器本体１０内に備えている。【選択図】図２
2010048923.tif 000002
【特許請求の範囲】
【請求項１】
ズーム機能付きのカメラを内部にセットする容器本体と、光を透過するガラス部材とが備えられている防爆形カメラ容器であって、
前記容器本体は、内部での爆発に耐えられる強度を有する材料によって形成され、かつ、前記カメラのレンズを覗かせる開口部を設けたものであり、前記ガラス部材は、光学ガラスを強化してドーム形状に成形したものであり、かつ、前記容器本体の開口部を塞いでいることを特徴とする防爆形カメラ容器。
【請求項２】
光軸を任意の方向に向けられるパンチルト式のカメラを固定する台座が前記容器本体内に備えられ、該台座は、カメラのレンズが前記ガラス部材の曲率中心と一致するようにカメラの固定位置を調整することができるようにされていることを特徴とする請求項１に記載の防爆形カメラ容器。
【請求項３】
前記ガラス部材は、化学強化法によって強化され、表裏面が研磨されていることを特徴とする請求項１又は２に記載の防爆形カメラ容器。
【発明の詳細な説明】
【技術分野】
【０００１】
本発明は、工場その他の事業場、ＬＮＧ船などの防爆地域において使用される防爆形カメラ装置に備えられている防爆形カメラ容器に関する。なお、防爆カメラ装置は、防爆カメラ容器内にカメラをセットしたもので、装置内で爆発が生じても、装置外において装置内から漏出したガスによって着火しないようにされている。
【背景技術】
【０００２】
工場その他の事業場、ＬＮＧ船などの防爆地域において使用されている防爆形カメラ装置は、種々提供されているが、一般の防爆地域用としては、耐圧式のものが使用されている。
【０００３】
耐圧式であってパンチルト式の防爆形カメラ装置は、例えば図３に示すように、天井や壁などに固定される雲台１０１と、この雲台１０１上に３６０°回転可能に取り付けられた旋回体１０２と、カメラ１００を保持し、縦方向に揺動自在に旋回体１０２に取り付けられた支持体１０３とを備えている。カメラ１００は、ズーム機能を備えることにより、遠方の監視対象物を拡大して認識することができるようにされている。
【０００４】
なお、ズーム機能を有していない防爆形監視カメラ装置が特許文献１に記載されている。この防爆形監視カメラ装置は、カメラ内部の熱を受け取る受熱部や、この受熱部の熱をカメラケースに伝熱する熱伝達部などを備えることにより、高熱源の監視対象に至近距離でも配置することができるようにされている。
【０００５】
【特許文献１】特開平１０−３２５９７５号公報
【発明の開示】
【発明が解決しようとする課題】
【０００６】
特許文献１に記載された防爆形監視カメラ装置は、ズーム機能を有していないため、広範囲を監視することができない。したがって、広範囲を監視し、しかも遠方の監視対象をを拡大して認識することができるようにする防爆形カメラ装置にあっては、ズーム機能を有していなければならない。しかし、従来のズーム機能を備えた防爆形カメラ装置は、雲台１０１、旋回体１０２、支持体１０３などの部材から構成されており、大型化・重量化していることから、製造が面倒であり、さらに所定の位置に容易に固定することができない。
【０００７】
また、防爆形カメラ装置は、カメラのレンズを覗かせるための開口部を設けた容器本体内にカメラをセットし、開口部をガラス部材によって塞ぐようにすることにより、容器本体内で爆発が生じても、ガスが容器本体外に漏出し、容器本体外において着火しないようにすることができる。前記ガラス部材は、容器本体内の爆発によって破損しないように強化ガラスを使用しなければならない。しかし、一般的な強化ガラスは解像度が悪いことから、ズーム機能によって遠方の監視対象を拡大したときに、監視対象を明確に認識することができない。
【０００８】
そこで、本発明は、コンパクト化を図り、ズーム機能を有するカメラを収納し、かつ、ズーム機能によって遠方の監視対象を拡大したときでも、監視対象を明確に認識することができるようにした防爆形カメラ容器を提供することを課題とする。
【課題を解決するための手段】
【０００９】
本発明に係る防爆形カメラ容器は、ズーム機能付きのカメラを内部にセットする容器本体と、光を透過するガラス部材とが備えられている防爆形カメラ容器であって、前記容器本体は、内部での爆発に耐えられる強度を有する材料によって形成され、かつ、前記カメラのレンズを覗かせる開口部を設けたものであり、前記ガラス部材は、光学ガラスを強化してドーム形状に成形したものであり、かつ、前記容器本体の開口部を塞いでいることを特徴としている。
【００１０】
この防爆形カメラ容器によれば、容器本体が内部での爆発に耐えられる強度を有する材料によって形成され、ガラス部材が光学ガラスを強化して形成されていることにより、防爆地域において使用することができる。そして、ガラス部材が光学ガラスによって成形されていることにより、ズーム機能によって遠方の監視対象を拡大して監視しても、監視対象を明確に認識することができる。
【００１１】
また、前記本発明に係る防爆形カメラ容器において、光軸を任意の方向に向けられるパンチルト式のカメラを固定する台座が前記容器本体内に備えられ、該台座は、カメラのレンズが前記ガラス部材の曲率中心と一致するようにカメラの固定位置を調整することができるようにされていることが好ましい。
【００１２】
この防爆形カメラ容器によれば、パンチルト式のカメラが容器本体内にセットされた場合において、カメラのレンズがガラス部材の曲率中心に一致するようにカメラが台座に固定されることにより、カメラのレンズの向きが変えられても、レンズの表面とガラス部材との間隔が一定ないしほぼ一定とさるため、レンズがどの方向に向けられても、監視対象が歪むことなく認識することができる。
【００１３】
また、前記本発明に係る防爆形カメラ容器において、前記ガラス部材は、化学強化法によって強化され、表裏面が研磨されていることが好ましい。
【００１４】
この防爆形カメラ容器によれば、ガラス部材が化学強化法によって成形されることにより、ドーム形状であっても強化することができ、また、表裏面が研磨されることによって解像度を上げることができる。
【発明の効果】
【００１５】
本発明によれば、ズーム機能付きのカメラをセットする容器本体に形成された開口部を、強化された光学ガラスによって成形されたドーム形状のガラス部材によって塞いだ防爆形カメラ容器が提供されることにより、コンパクト化を図ることができるだけでなく、カメラのズーム機能によって、拡大された遠方の監視対象を明確に認識することができる。
【発明を実施するための最良の形態】
【００１６】
本発明に係る防爆形カメラ容器の一実施形態について図１及び図２を参照しながら説明する。この防爆形カメラ容器は、ズーム機能付きのカメラ１を内部にセットする容器本体１０と、ドーム形状のガラス部材２０とを備えている。なお、カメラ１は、光軸を回転軸として例えば１２７°の範囲で旋回し、かつ、レンズ１ａが揺動するパンチルト式のものなど、任意の機種をセットすることができるようにされている。
【００１７】
そして、容器本体１０は、例えばアルミニウム鑄物によって成形されたハウジング部１１、環状のキャップ１２、板状の蓋体１３などを備えている。ハウジング部１１は、基盤１１ａと側板１１ｂと天板１１ｃとを一体成形したものである。側板１１ｂは、図２（ａ）に示す平面視において、変形Ｕ字形に形成されている。すなわち、側板１１ｂの撓曲部分１１ｄは、平行に対峙した平板部分１１ｅ，１１ｅよりも拡径し、さらに、図２（ｂ）に示すように、平板部分１１ｅ，１１ｅよりも突出した円筒状部分１１ｆが設けられている。この円筒状部分１１ｆの内側は、カメラ１のレンズ１ａを覗かせる開口部１１ｇとなり、外周面に雄ネジが形成されている。
【００１８】
また、平板部分１１ｅ，１１ｅの端面に蓋体１３が着脱自在に固定されている。そして、側板１１ｂの一方の平板部分１１ｅには、２つの端子１４，１４が設けられている。この端子１４，１４は、一方に電力線、他方に信号線、又はいずれか一方にＰｏＥ給電線（以下、総称して「ケーブル」という。また、いずれも図示せず）の一端側が接続され、ケーブルが接続されているときも接続されていないときも気密性が確保されている。なお、信号線及びＰｏＥ給電線の他端部は、遠隔のモニタ室（図示せず）に配線される。
【００１９】
そして、基盤１１ａは、外周縁が前記側板１１ｂの基端側の外周縁と連続する形状に形成され、内面に各種のカメラ１を固定する台座１５が設置されている。台座１５は、カメラ１の固定位置を調整することができるようにされている。
【００２０】
また、防爆形カメラ容器の内部には、前記ケーブルをカメラ１から導出されたケーブル（図示せず）に接続するためのコネクタ１６が備えられている。そして、基盤１１ａには、取付穴１７ａを設けた取付脚１７が固定されている。
【００２１】
そして、キャップ１２は、内周面に雌ネジを形成した筒状部１２ａと、この筒状部１２ａの先端側を内向きに突設した鍔状の係止部１２ｂとを一体成形したものとされている。前記ハウジング部１１の円筒状部分１１ｆの雄ネジとキャップ１２の雌ネジとは、当然、螺合するが、容器本体１０内で発生したガスがこの螺合した部分を通過して排出される。このガスは、羅合した部分を通過することによって冷却される。
【００２２】
そして、キャップ１２の鍔状の係止部１２ｂは、ドーム形状のガラス部材２０の拡径した基端部の外周面２１を係止するようにテーパ状に形成されている。また、キャップ１２の係止部１２ｂとガラス部材２０との気密性を高めるため、両者１２ｂ，２１間には、シーリング材（図示せず）が介在されている。
【００２３】
そして、ガラス部材２０は、強化された光学ガラスによってドーム形状に成形されている。ガラス部材２０が光学ガラスによって成形されることにより、カメラ１のズーム機能によって遠方の監視対象を拡大しても、監視対象を明確に認識することができる。
【００２４】
そして、光学ガラスは、例えば、化学強化法によって強化される。化学強化法は、光学ガラスを硝酸カリウムなどの溶融塩中に浸漬し、光学ガラスの表面層のNa+イオンをＫ+イオンに置き換える方法である。Ｋ+イオンの半径がNa+イオンの半径よりも３割程度大きく、Na+イオンの抜けた孔にＫ+イオンが押し込まれる状態となることにより、光学ガラスの表裏面に圧縮応力層が形成され、光学ガラスが全体として強化される。
【００２５】
この光学ガラスは通常の光学ガラスよりも５倍以上に強度が上げられる。また、化学強化法によれば、光学ガラスが３ｍｍ以上であれば、ドーム形状であっても強化することができる。そして、強化された光学ガラスの表裏面は、研磨されることによって解像度が向上されている。
【００２６】
このように強化された光学ガラスからドーム状に成形されたガラス部材２０は、拡径した端縁２２がハウジング部１１の円筒状部分１１ｆ上にセットされたドーナツ盤状の座盤１８上に載せられる。また、ガラス部材２０の拡径した基端部の外周面２１は、前記のようにシーリング材を介してキャップ１２の係止部１２ｂに係止される。したがって、キャップ１２の雌ネジがハウジング部１１の雄ネジと螺合することにより、ガラス部材２０が容器本体１０に固定され、防爆形カメラ容器が組み立てられる。
【００２７】
この防爆形カメラ容器は、以上のように構成され、次に、使用方法について説明する。まず、キャップ１２を外した状態で、カメラ１を台座１５に固定する。カメラ１は、ズーム機能を備えたものなど任意の機種を選定することができる。さらに、パンチルト式のカメラ１にあっては、レンズ１ａの向きが変えられ、光軸が任意の方向に向けられる。
【００２８】
したがって、レンズ１ａがいずれの方向を向いても、レンズ１ａの表面とガラス部材２０との間隔が一定ないしほぼ一定となるように、レンズ１ａの位置がドーム形状のガラス部材２０の曲率中心に一致するように台座１５を調整し、カメラ１を台座１５に固定する。また、端子１４，１４に接続されたケーブルとカメラ１から導出されたケーブルとをコネクタ１６によって接続する。
【００２９】
このようにして内部にカメラ１をセットした防爆形カメラ容器は、防爆形カメラとして所定の箇所に固定される。カメラ１は、監視対象の映像を電気信号に変換し、モニタ室で監視される。また、カメラ１は、信号線又はＰｏＥ線からの信号によって制御され、ズーム機能が働き、レンズ１ａが旋回さらに揺動する。
【００３０】
ズーム機能が働いていないときは、監視対象を広範囲に監視することができ、ズーム機能が働くことにより、遠方の監視対象を拡大して監視することができる。遠方の監視対象が拡大されても、ガラス部材２０が光学ガラスによって成形されているため、監視対象を明確に認識することができる。
【００３１】
また、カメラ１は、パンチルト機構によってレンズ１ａが旋回し、揺動することによって、光軸が傾く。光軸が傾いても、レンズ１ａがドーム形状のガラス部材２０の曲率中心に位置し、レンズ１ａの表面とガラス部材２０との間隔が一定ないしほぼ一定とされていることから、ガラス部材２０が原因で、監視対象は歪んで認識されることがない。
【００３２】
そして、防爆形カメラの内部において、爆発が生じると、容器本体１０がアルミニウム鑄物によって形成され、ガラス部材２０が化学強化法によって強化されているため、防爆形カメラ容器は破損しない。さらに、爆発によって生じたガスが螺合しているキャップ１２の雌ネジとハウジング部１１の雄ネジとの間から防爆形カメラの外部に漏出したとしても、ガスは、このネジの間を通過している間に冷却されるため、防爆形カメラの外部のガスを着火させることはない。
【００３３】
したがって、この防爆形カメラは、ズーム機能によって遠方の監視対象を明確に認識することができるだけでなく、危険場所において安全に使用することができる。
【００３４】
なお、本発明は、前記実施の形態に限定することなく種々変更することができる。例えば、ガラス部材２０を強化する方法は、化学強化法に限らず、加熱急冷法などを採用してもよい。また、カメラ１はパンチルト式でなく、固定式でもよく、この場合はレンズ１ａの向きが変更されないため、レンズ１ａがガラス部材２０の曲率中心に一致しないでカメラ１をセットしてもよい。
【図面の簡単な説明】
【００３５】
【図１】本発明に係る防爆形カメラ容器の一実施形態を示す斜視図である。
【図２】（ａ）は本発明に係る防爆形カメラ容器の一実施形態を示す平面図、（ｂ）は（ａ）のＡ−Ａ線断面図である。
【図３】従来の防爆形カメラの一例を示す斜視図である。
【符号の説明】
【００３６】
１………カメラ
１ａ……レンズ
１０……容器本体
１１ｇ…開口部
１５……台座
２０……ガラス部材
【図１】
2010048923.tif 000003
【図２】
2010048923.tif 000004
【図３】
2010048923.tif 000005